(57)【要約】【課題】白粉の発生を防止し、かつ、白粉防止効果を維持すること。【解決手段】内部に水を蓄え、陽極１１と、陰極１２と、イオンを透過させ陽極と陰極とを隔てる隔膜１３とを備えた電解手段１４と、水を蒸発または飛散させて加湿する加湿手段１５とを備え、電解手段１４の陽極側の水を加湿手段１５に供給するよう構成することにより、電解手段１４内部の水に含まれる陽イオンであるカルシウムイオンは、陰極１２側に徐々に集まり、陽極１１側の水から減少していく。この陽極１１側の水を用い加湿手段１５で加湿する。白粉の原因であるカルシウムイオンを含まない水を加湿に用いるため、白粉の発生を防止することができる。この一連の動作は、陽極１１と陰極１２とに電力が供給されるかぎり継続するため、使用者の労力なしに、白粉防止効果を維持することができる。【選択図】図１
2006112723.tif 000002
【特許請求の範囲】
【請求項１】
内部に水を蓄え、陽極と、陰極と、イオンを透過させ前記陽極と前記陰極とを隔てる隔膜とを備えた電解手段と、水を蒸発または飛散させて加湿する加湿手段とを備え、前記電解手段の陽極側の水を前記加湿手段に供給するよう構成したことを特徴とする加湿装置。
【請求項２】
脱着式の給水手段ａを備え、前記給水手段ａの水を電解手段に供給するよう構成したことを特徴とする請求項１に記載の加湿装置。
【請求項３】
電解手段内部の減水を検知して、減水通知信号を出力し、加湿手段を停止する減水通知手段を備えたことを特徴とする、請求項１〜２のいずれかに記載の加湿装置。
【請求項４】
水道に接続し、水を通過、または遮断する給水手段ｂを備え、電解手段内部の水の増減に応じて水を通過または遮断するよう構成したことを特徴とする、請求項１に記載の加湿装置。
【請求項５】
カルシウムイオンを検知し、加湿手段を停止する制御手段を備えたことを特徴とする、請求項１〜４のいずれかに記載の加湿装置。
【請求項６】
脱着式の貯水手段を備え、陰極側の水を前記貯水手段に蓄えるよう構成したことを特徴とする、請求項１〜５のいずれかに記載の加湿装置。
【請求項７】
空気調和機の近傍に配置され、陰極側の水を前記空気調和機のドレンパンを経由して排水するよう構成したことを特徴とする、請求項１〜５のいずれかに記載の加湿装置。
【発明の詳細な説明】
【技術分野】
【０００１】
本発明は白粉の発生しない加湿装置に関するものである。
【背景技術】
【０００２】
従来、この種の加湿装置はイオン交換物質を利用している。
【０００３】
図８は、特許文献１に記載された従来の加湿装置を示すものである。図８に示すように、給水タンク１と、イオン交換物質２と、蒸発皿３とからなり、給水タンク１の水を、イオン交換物質２がイオン交換して、蒸発皿３に供給するよう構成されている（特許文献１参照）。
【特許文献１】特開平１０−３３２１７９号公報
【発明の開示】
【発明が解決しようとする課題】
【０００４】
しかしながら、前記従来の構成では、イオン交換物質２は、水とのイオン交換を行うにつれて、イオン交換能力が低下し、白粉抑制の効果が低下するという課題を有していた。
【０００５】
本発明は、前記従来の課題を解決するもので、白粉の発生を防止し、かつ、白粉防止効果を維持する加湿装置を提供することを目的とする。
【課題を解決するための手段】
【０００６】
前記従来の課題を解決するために、本発明の加湿装置は、内部に水を蓄え、陽極と、陰極と、イオンを透過させ陽極と陰極とを隔てる隔膜とを備えた電解手段と、水を蒸発または飛散させて加湿する加湿手段とを備え、前記電解手段の陽極側の水を前記加湿手段に供給するよう構成したものである。
【０００７】
これによって、水中のカルシウムイオンは陰極側に集まり、カルシウムイオンを含まない陽極側の水を加湿に用いるので、白粉の発生を防止することができる。また、この効果は、陽極、陰極に電力が供給されるかぎり継続するため、白粉防止効果を維持する。
【発明の効果】
【０００８】
本発明の加湿装置は、白粉の発生を防止し、かつ、白粉防止効果を維持することができる。
【発明を実施するための最良の形態】
【０００９】
第１の発明は内部に水を蓄え、陽極と、陰極と、イオンを透過させ陽極と陰極とを隔てる隔膜とを備えた電解手段と、水を蒸発または飛散させて加湿する加湿手段とを備え、電解手段の陽極側の水を加湿手段に供給するよう構成することにより、カルシウムイオンを含まない陽極側の水を加湿に用いるため、白粉の発生を防止することができる。また、この効果は、陽極と陰極とに電力が供給されるかぎり継続するため、メンテナンスフリーで白粉防止効果を維持することができる。
【００１０】
第２の発明は、第１の発明の加湿装置に加えて、脱着式の給水手段ａを備え、給水手段ａの水を電解手段に供給するよう構成することにより、容易に電解手段へ給水し長時間加湿することができる。
【００１１】
第３の発明は、第１または第２の発明の加湿装置に加えて、電解手段内部の減水を検知
して、減水通知信号を出力し、加湿手段を停止する減水通知手段を備えることにことにより、使用者に給水を促し、かつ、給水されるまでの無駄な動作による電力消費を抑制することができる。
【００１２】
第４の発明は、第１の発明の加湿装置に加えて、水道に接続し、水を通過、または遮断する給水手段ｂを備え、電解手段内部の水の増減に応じて水を通過または遮断するよう構成することにより、連続的に加湿を継続することができる。
【００１３】
第５の発明は、第１〜４いずれか１つの発明の加湿装置に加えて、カルシウムイオンを検知し、加湿手段を停止する制御手段を備えることにより、給水直後の白粉の発生を防止することができる。
【００１４】
第６の発明は、第１〜５いずれか１つの発明の加湿装置に加えて、脱着式の貯水手段を備え、陰極側の水を貯水手段に蓄えるよう構成することにより、陰極側の水をアルカリイオン水として活用することができる。
【００１５】
第７の発明は、第１〜５いずれか１つの発明の加湿装置を空気調和機の近傍に配置し、陰極側の水を空気調和機のドレンパンを経由して排水するよう構成することにより、アルカリ性の陰極側の水でドレンパンの消臭、除菌をすることができる。
【００１６】
（実施の形態１）
図１は、本発明の第１の実施の形態における加湿装置の構成を示す構成図である。
図１において、内部に水を蓄え、陽極１１と、陰極１２と、イオンを透過させ陽極と陰極とを隔てる隔膜１３とを備えた電解手段１４と、水を蒸発または飛散させて加湿する加湿手段１５とを備え、電解手段１４の陽極側の水を加湿手段１５に供給するよう構成している。
以上のように構成された加湿装置について、以下その動作、作用を説明する。
【００１７】
まず、電解手段１４内部の水に含まれる陽イオンは陰極１２に、陰イオンは陽極１１にそれぞれ引き寄せられる。陽極１１と陰極１２とを隔てる隔膜１３はイオンを透過させるので、陽イオンであるカルシウムイオンは、隔膜１３より陰極１２側に徐々に集まり、陽極１１側の水から減少していく。この陽極１１側の水を用い加湿手段１５で加湿する。
【００１８】
白粉の原因であるカルシウムイオンを含まない水を加湿に用いるため、白粉の発生を防止することができる。この一連の動作は、陽極１１と陰極１２とに電力が供給されるかぎり継続するため、使用者の労力なしに、白粉防止効果を維持することができる。
【００１９】
（実施の形態２）
図２は、本発明の第２の実施の形態の加湿装置の構成を示す構成図である。
【００２０】
図２において、実施の形態１の加湿装置に加えて、脱着式の給水手段ａ２１を備え、給水手段ａ２１の水を電解手段１４に供給するよう構成している。
【００２１】
以上のように構成された加湿装置について、以下その動作、作用を説明する。
【００２２】
なお、実施の形態１と同一の構成については、同一の番号を付与し説明を省略する。
【００２３】
まず、本体に装着された給水手段ａ２１は内部の水を、加湿を行うことにより水が減少する電解手段１４に供給する。給水手段ａ２１は、容易に本体から脱着できるので、給水手段ａ２１内部の水がなくなると、本体から取り外して内部に水を入れた後、本体に装着
することができる。そして、電解手段１４に給水して加湿を継続して行う。
【００２４】
このように、容易に電解手段へ給水し、長時間加湿することができる。
【００２５】
なお、本実施の形態では給水手段ａ２１と電解手段１４と別体構造としたが、一体構造であってもよい。
【００２６】
（実施の形態３）
図３は、本発明の第３の実施の形態の加湿装置の構成を示す構成図である。
【００２７】
図３において、実施の形態２の加湿装置に加えて、電解手段１４内部の減水を検知して、減水通知信号を出力し、加湿手段１５を停止する減水通知手段３１を備えている。
【００２８】
以上のように構成された加湿装置について、以下その動作、作用を説明する。
【００２９】
なお、実施の形態２と同一の構成については、同一の番号を付与し説明を省略する。
【００３０】
まず、加湿を行うことにより電解手段１４内部の水が減少すると、減水通知手段３１は、減水を検知し、減水通知信号を出力する。
【００３１】
ここで減水通知信号は、使用者に減水を通知する信号で、音や光、表示など信号である。この減水通知信号で、使用者に給水を促すことができる。
【００３２】
また、減水通知手段３１は、減水を検知して減水通知信号を出力するとともに、加湿手段１５を停止させて、給水されるまでの無駄な動作による電力消費を抑制することができる。
【００３３】
（実施の形態４）
図４は、本発明の第４の実施の形態の加湿装置の構成を示す構成図である。
【００３４】
図４において、実施の形態１の加湿装置に加えて、水道に接続し、水を通過、または遮断する給水手段ｂ４１を備え、電解手段の水の増減に応じて水を通過または遮断するよう構成している。
【００３５】
以上のように構成された加湿装置について、以下その動作、作用を説明する。
【００３６】
なお、実施の形態１と同一の構成については、同一の番号を付与し説明を省略する。
【００３７】
まず、加湿を行うことにより電解手段１４内部の水が減少すると、給水手段ｂ４１は、水を通過させる。
【００３８】
これにより、水は電解手段１４に供給され、電解手段１４内部の水は増加する。次に、電解手段１４内部の水が増加すると、給水手段ｂ４１は、水を遮断する。
【００３９】
これにより、電解手段１４への給水は停止する。この一連の動作を繰り返し行うので、常に電解手段１４には、水が供給されて、連続的に加湿を継続することができる。
【００４０】
（実施の形態５）
図５は、本発明の第５の実施の形態の加湿装置の構成を示す構成図である。
【００４１】
図５において、実施の形態４の加湿装置に加えて、カルシウムイオンを検知し、加湿手段を停止する制御手段５１を備えている。
【００４２】
以上のように構成された加湿装置について、以下その動作、作用を説明する。なお、実施の形態４と同一の構成については、同一の番号を付与し説明を省略する。
【００４３】
まず、電解手段１４へ給水すると、給水される水には、カルシウムイオンが含まれ、陽極１１側の水のカルシウムイオンは増加する。制御手段５１は、このカルシウムイオンを検知し、加湿手段１５を停止する。時間経過とともに、陽極１１側の水のカルシウムイオンは減少していき、制御手段５１はカルシウムイオンを検知しなくなる。
【００４４】
そして、制御手段５１の加湿手段１５の停止は解除され、加湿が再開する。
【００４５】
このように、制御手段５１は、カルシウムイオンを検知して加湿手段を停止するので、給水直後の白粉の発生を防止することができる。
【００４６】
（実施の形態６）
図６は、本発明の第６の実施の形態の加湿装置の構成を示す構成図である。
【００４７】
図６において、実施の形態１の加湿装置に加えて、脱着式の貯水手段６１を備え、陰極側の水を貯水手段６１に蓄えるよう構成している。
【００４８】
以上のように構成された加湿装置について、以下その動作、作用を説明する。
【００４９】
なお、実施の形態１と同一の構成については、同一の番号を付与し説明を省略する。
【００５０】
まず、電解手段１４内部の水に含まれる陽イオンは陰極１２に、陰イオンは陽極１１にそれぞれ隔膜１３を透過して引き寄せられる。
【００５１】
この陽極１１側の水は加湿に使用される。一方、陰極１２側には、一般的にアルカリイオン水といわれる陽イオンを豊富に含む水が生成される。
【００５２】
この陰極１２側の水は、貯水手段６１に蓄えられる。貯水手段６１は脱着式なので、本体から取り外し、内部に蓄えられた水を飲用等に活用することができる。
【００５３】
（実施の形態７）
図７は、本発明の第７の実施の形態の加湿装置の構成を示す構成図である。
【００５４】
図７において、実施の形態１の加湿装置を、空気調和機７１の近傍に配置し、陰極１２側の水を空気調和機７１のドレンパン７２を経由して排水するよう構成している。
【００５５】
以上のように構成された加湿装置について、以下その動作、作用を説明する。なお、実施の形態１と同一の構成については、同一の番号を付与し説明を省略する。
【００５６】
陰極１２側には、陽イオンが集まり、アルカリ性の水が生成される。
【００５７】
アルカリ性の水には、消臭、除菌効果のあることが知られている。このアルカリ性の陰極１２側の水を、空気調和機７１のドレンパン７２を経由して排水するので、ドレンパン７２を消臭、除菌することができる。
【００５８】
なお、本実施の形態では、加湿装置を空気調和機の外部に配置したが、加湿装置を空気調和機の内部に配置してもよい。
【産業上の利用可能性】
【００５９】
以上のように、本発明にかかる加湿装置は、白粉の発生を防止し、メンテナンスフリーで白粉防止効果を維持するので、冷蔵庫内の食品の乾燥防止などの用途にも適用できる。
【００６０】
また、同時にアルカリ性の水を生成するので、アルカリイオン水として製氷等の用途にも適用できる。
【図面の簡単な説明】
【００６１】
【図１】本発明の実施の形態１における加湿装置の構成図
【図２】本発明の実施の形態２における加湿装置の構成図
【図３】本発明の実施の形態３における加湿装置の構成図
【図４】本発明の実施の形態４における加湿装置の構成図
【図５】本発明の実施の形態５における加湿装置の構成図
【図６】本発明の実施の形態６における加湿装置の構成図
【図７】本発明の実施の形態７における加湿装置の構成図
【図８】従来の加湿装置の構成図
【符号の説明】
【００６２】
１１  陽極
１２  陰極
１３  隔膜
１４  電解手段
１５  加湿手段
【図１】
2006112723.tif 000003
【図２】
2006112723.tif 000004
【図３】
2006112723.tif 000005
【図４】
2006112723.tif 000006
【図５】
2006112723.tif 000007
【図６】
2006112723.tif 000008
【図７】
2006112723.tif 000009
【図８】
2006112723.tif 000010